(57)【要約】      （修正有）【課題】簡単、かつ、迅速に、刀剣類の長さ等を測定し、刀剣の携帯等の違法性を判定することができるよう板状体で作成した刀剣類測定具を提供する。【解決手段】板状本体２に、刃体の長さ測定基準ライン５を設け、該基準ライン５に測定開始部５ａと刃体長さ許容限界表示部（判定直線６ａ〜６ｅ）を設けるとともに、刃体の幅及び厚さを検査する刃体差込穴１０ａ〜１０ｃを設ける。【選択図】図１
0003156498.tif 000002
【実用新案登録請求の範囲】
【請求項１】
板状本体に、刃体の長さ測定基準ラインを設け、該基準ラインに測定開始部と刃体長さ許容限界表示部を設けるとともに、刃体の幅及び厚さを検査する刃体差込穴を設けたことを特徴とする刀剣類測定具。
【請求項２】
前記許容限界表示部には、前記測定基準ラインに直交する判定直線が設けられていることを特徴とする請求項１記載の刀剣類測定具。
【請求項３】
前記判定直線が、複数設けられ、かつ、各判定直線が異なる色に形成されていることを特徴とする請求項１記載の刀剣類測定具。
【請求項４】
前記刃体差込穴は、刃体の規定幅及び厚みに合わせて形成された長方形状穴であり、該長方形状穴は、複数形成され、各長方形状穴は、それぞれ大きさが異なることを特徴とする請求項１、２、又は、３記載の刀剣類測定具。
【請求項５】
前記板状本体の裏面側には、引き出し部が設けられていることを特徴とする請求項１記載の刀剣類測定具。
【請求項６】
前記引き出し部には、測定資料カードが収納されていることを特徴とする請求項５記載の刀剣類測定具。
【考案の詳細な説明】
【技術分野】
【０００１】
この考案は、折りたたみナイフ、肥後守、出刃包丁、鋸鎌、切出小刀、腰ナタ等の刀剣類を測定する、刀剣類測定具に関するものであり、特に、携帯に便利な刀剣類測定具に関するものである。
【背景技術】
【０００２】
刀剣類は、他人の生命又は身体に危害を及ぼす恐れがあるので、銃砲刀剣類所持等取締法は、所定の刀剣類の所持等を規制している。例えば、同法には、「〜内閣府令で定めるところにより計った刃体の長さが６センチメートルを超える刃物を越える刃物を携帯してはならない。ただし、〜政令で定める種類又は形状のものについては、この限りではない」（同法第２２条）と規定され、又、同法施行令第９条１号〜４号には、「刃体の長さが６センチメートルを超える刃物で携帯が禁止されないもの」が例示されている。
【０００３】
又、前記取締法は、「刀剣類」を定義するとともに（同法第２条第２項）、警察官は、異常な挙動その他周囲の事情から合理的に判断して他人の生命又は身体に危害を及ぼす恐れがあると認められる場合には、刀剣類を携帯している者に対し、それを提示させて調べたり、又は、それを提出させて一時保管することができる」（同条第１項、第2項）、と規定している。
【０００４】
そこで、警察官は、前記法令に該当する刀剣類携帯者に該刀剣類の提示を求めるとともに、該刀剣類の刃体の長さや幅、厚さを、スケール(巻尺、物差しなど)により実測し、前記法令に違反していないか否かを検査している。
【考案の概要】
【考案が解決しようとする課題】
【０００５】
前記刃体をスケールで実測する方法は、測定しにくいので、測定結果が出るまでに時間がかかる。そのため、刀剣類携帯者を長い間待たせることになるので、好ましくない。又、刃体の長さ等の測定方法は、刀剣の種類により異なっており、例えば、「剣」の刃渡り（長さ）は、２箇所の刃区（はまち：刃の終点）を結ぶ線分から切先までの最短距離、とされ、又、「折りたたみナイフ」の刃体の長さは、切っ先から柄までの最短距離、とされている。従って、見慣れない刀剣類の刃体の長さ等を測定する際には、法令の規定を参照しながら測定しなければならないので、更に、多くの測定時間を要することになる。
【０００６】
この考案は、上記事情に鑑み、簡単に刀剣類の長さ等を測定し、迅速に違法か否かを判定出来る様にすることを目的とする。
【課題を解決するための手段】
【０００７】
この考案は、板状本体に、刃体の長さ測定基準ラインを設け、該基準ラインに測定開始部と刃体長さ許容限界表示部を設けるとともに、刃体の幅及び厚さを検査する刃体差込穴を設けたことを特徴とする。
【０００８】
この考案の許容限界表示部には、前記測定基準ラインに直交する判定直線が設けられていることを特徴とする。前記判定直線が、複数設けられ、かつ、各判定直線が異なる色に形成されていることを特徴とする。この考案の前記刃体差込穴は、刃体の規定幅及び厚みに合わせて形成された長方形状穴であり、該長方形状穴は、複数形成され、各長方形状穴は、それぞれ大きさが異なることを特徴とする。
【０００９】
この考案の板状本体の裏面側には、引き出し部が設けられていることを特徴とする。前記引き出し部には、測定資料カードが収納されていることを特徴とする。
【考案の効果】
【００１０】
この考案は、板状本体に、刃体の長さ測定基準ラインを設け、該基準ラインに測定開始部と刃体長さ許容限界表示部を設けたので、測定する刀剣類の刃体の測定線を前記測定基準ラインに合わせながら、前記測定線の後端を前記基準ラインの測定開始部に合わせ、前記刃体の先端（測定線の先端）と前記許容限界表示部との位置関係を見ると、前記刀剣の適法性を知ることができる。即ち、前記刃体の先端が、前記許容限界表示部を超えていなければ、適法（携帯可）であり、又、それを超えている場合には、違法（携帯不可）であることが、簡単に判る。
【００１１】
この考案は、板状本体に、刃体の幅及び厚さを検査する刃体差込穴を設けたので、測定する刀剣の刃体を前記刃体差込穴に差し込んだときの挿入状態により、前記刀剣の適法性を知ることができる。即ち、前記刃体が、全部挿入できれば、適法（携帯可）であり、又、全く挿入できないか、又は、一部しか挿入できない場合には、違法（携帯不可）であることが、簡単に判る。
【図面の簡単な説明】
【００１２】
【図１】本考案の実施形態を示す斜視図である。
【図２】図１のＩＩ―ＩＩ線断面図である。
【図３】測定資料カードの一部を示す平面図である。
【図４】刃体の長さを測定している状態を示す斜視図である。
【図５】刃体の幅及び厚さを測定している状態を示す斜視図である。
【考案を実施するための形態】
【００１３】
この考案の第１実施形態を図１〜図５により説明する。刀剣類測定具１は、板状本体２と、該板状本体２の裏面側に配置された引き出し部３とを備えている。
【００１４】
前記板状本体２は、長方形状に形成され、その表面２ａには、その長手方向に伸びる刃体の長さ測定基準ライン５が、複数本設けられている。前記各測定基準ライン５は、互いに所定間隔を置いて平行に配設されている。
【００１５】
前記刃体の長さ測定基準ライン５には、測定開始部５ａと刃体長さ許容限界表示部が設けられている。この許容限界表示部には、該測定基準ライン５に直交する判定直線６ａ〜６ｅが設けられているが、前記測定開始部５ａと刃体長さ許容限界表示部（判定直線）との距離は、刃体の法定許容長さと等しく形成されている。前記許容限界表示部（判定直線）は、各種刀剣類の刃体の法定長さに合わせて、複数設けられているが、各判定直線６ａ〜６ｅの色は、それぞれ異なっている。
【００１６】
例えば、判定直線６ａ、６ｅは、黄色線で、刃渡り５．５ｃｍ以上１５ｃｍ未満の剣の許容限界を示し、判定直線６ｂは、赤色線で、刃体の長さが６ｃｍを超える「携帯禁止刃物」の許容限界を示し、判定直線６ｃは、青色で、刃体の長さが６ｃｍを超えて７ｃｍ以下の「切り出しナイフ」の許容限界を表し、又、判定直線６ｄは、緑色線で、刃体の長さが６ｃｍを超えて８ｃｍ以下の「はさみ」、「折りたたみ式ナイフ」、「くだものナイフ」の許容限界を示す。
【００１７】
前記板状本体２の上辺部２ｂには、刃体差込穴１０ａ〜１０ｃが設けられているが、この上辺部２ｂには、前記測定標準ライン５及び判定直線６ａ〜６ｅが配設されていない。前記刃体差込穴１０ａ〜１０ｃは、各刀剣類の刃体の幅及び厚さに対応させて形成された長方形状穴であり、間隔を置いて複数配置されている。例えば、刃体差込穴１０ａは、縦０．２５ｃｍ、横１．５ｃｍの「折りたたみ式ナイフ」用の穴であり、刃体差込穴１０ｂは、縦０．１５ｃｍ、横２ｃｍの「くだものナイフ」用の穴であり、又、刃体差込穴１０ｃは、縦０．２ｃｍ、横２ｃｍの「切り出し」用の穴、である。
【００１８】
前記板状本体２の裏面（下面）側には、取手３ａを備えた引き出し部３が設けられているが、この引き出し部３は、前記板状本体２の両側縁から垂下する一対のＬ字状脚部８、８により支持されている。なお、前記脚部８を設ける替わりに、板状本体２を縦断面長方形状の箱体に形成し、該箱体に引き出し部３を出し入れ可能に挿入させても良い。
【００１９】
前記引き出し部３には、測定資料カード１２及びスケール（図示省略）が収納されている。前記測定資料カード１２は、図３に示すように、刀剣類の名称、絵、刃体の長さの測定線（最短距離）Ｌ等が記載されている。又、前記スケールは、マグネットにより形成され、刀剣類の鋼質性を判定できるようになっている。
【００２０】
次に、本実施形態の作動について説明するが、「折りたたみナイフ」の測定について説明する。
「刃体の長さ測定」
刀剣類測定具１の取手３ａを手前に引いて、引き出し部３を板状本体２から外し、板状本体２の裏面側を開放する。これにより、刃体差込穴１０ａ〜１０ｃの下方に、折りたたみナイフ１５の刃体全長を通すことができる空間部が確保される。
【００２１】
図３の測定資料カード１２に示されている様に、前記折りたたみナイフ１５は、刃体１７の切っ先（先端）１９から柄２０までの最短距離が、法令で定める測定距離となっており、この測定すべき位置は、測定線Ｌで表示されている。
【００２２】
図４に示すように、刃体１７を板状本体２上に載置し、前記測定基準ライン５に刃体１７の測定線Ｌを合わせ、前記測定基準ライン５の測定開始部５ａに前記測定線Ｌの後端Ｌ１を合わせる。
【００２３】
次に、刃体１７の切っ先１９に位置している、測定線Ｌの先端Ｌ２と判定直線６ａ〜６ｅとの位置関係をチェックする。この実施形態では、刃体１７の切っ先１９（前記先端Ｌ２）は、判定直線６ｃと判定直線６ｄとの間に位置している。従って、「刃体の長さが６ｃｍを超えて８ｃｍ以下」であるので、刃体１７の長さの点では、法令に違反していないことがわかる。
【００２４】
「刃体の幅（測定線Ｌと直交する方向の長さ）及び厚さの測定」
前記折りたたみナイフ１５の柄２０を握り、刃体１７の切っ先１９（先端）を刃体測定穴１０ａに差し込み、完全に挿入されているか否かをチェックする。この実施形態では、前記刃体１７は、途中までしか挿入できないので、刃体１７の幅又は厚さ、或いは、幅及び厚さが法令に違反していることがわかる。
【００２５】
この様に、本考案の刀剣類測定具１を用いると、従来例の様にスケールを使って刃体を実測する必要が無いので、簡単に、かつ、迅速に刃体の測定を行うことができる。
【符号の説明】
【００２６】
１      刀剣類測定具
２      板状本体
３      引き出し部
５      刃体の長さ測定基準ライン
６ａ    判定直線
１０ｃ  刃体測定穴
１２    測定資料カード
１５    折りたたみナイフ
１９    切っ先
２０    柄
【図１】
0003156498.tif 000003
【図２】
0003156498.tif 000004
【図３】
0003156498.tif 000005
【図４】
0003156498.tif 000006
【図５】
0003156498.tif 000007